(57)【特許請求の範囲】
【請求項１】
底フレーム(１a)を有するケーシング(１)と、
上記ケーシング(１)の上記底フレーム(１a)に、内側に突出して立設された棒状部材(１２)と、
上記棒状部材(１２)が挿通される挿通孔(１３a)を有する弾性部材(１３)と、
上記弾性部材(１３)に取り付けられる取付板(１１)と、
上記取付板(１１)に取り付けられた湯水ポンプ(２)と、
上記湯水ポンプ(２)における上記棒状部材(１２)の軸方向への移動を規制する規制部材(１８a)と
を備え、
上記棒状部材(１２)は、上記弾性部材(１３)における上記挿通孔(１３a)の内周面との間に隙間を有して挿通されており、
上記取付板(１１)は、上記棒状部材(１２)とは非接触状態で、上記弾性部材(１３)に取り付けられていると共に、
上記湯水ポンプ(２)の吸入口(２a)に接続された給湯管(６)および上記湯水ポンプ(２)の吐出口(２b)に接続された吐出管(７)によって、上記湯水ポンプ(２)を保持することで、上記弾性部材(１３)における上記挿通孔(１３a)の内周面と上記棒状部材(１２)との間の隙間が保たれている
ことを特徴とする温水ユニット。
【請求項２】
請求項１に記載の温水ユニットにおいて、
上記弾性部材(１３)は、上記取付板(１１)を挟持する挟持用溝(１３b)を備えている
ことを特徴とする温水ユニット。
【請求項３】
請求項１または請求項２に記載の温水ユニットにおいて、
上記湯水ポンプ(２)と上記規制部材(１８a)とは、上記棒状部材(１２)の軸方向に隙間を有しており、
上記棒状部材(１２)における上記内側への突出長さは、上記湯水ポンプ(２)と上記規制部材(１８a)との上記隙間よりも長く設定されている
ことを特徴とする温水ユニット。
【請求項４】
請求項１から請求項３までの何れか一つに記載の温水ユニットにおいて、
上記棒状部材(１２)は、頭部(１２a)と軸部(１２b)とを有するネジであり、
上記ネジ(１２)は、上記軸部(１２b)における上記頭部(１２a)側の端部には、上記底フレーム(１a)に螺合する雄ネジ(１４)が形成されたネジ部(１２c)が設けられる一方、上記軸部(１２b)における上記ネジ部(１２c)以外の部分には、平滑な側面を有する円柱部(１２d)が設けられており、上記円柱部(１２d)のみが上記ケーシング(１)の内側に突出するようになっている
ことを特徴とする温水ユニット。
【発明の詳細な説明】
【技術分野】
【０００１】
この発明は、給湯装置等に用いられる温水ユニットに関する。
【背景技術】
【０００２】
従来、温水を生成する温水ユニットを備えた給湯装置として、特開２００７‐１０２４１号公報(特許文献１)に開示されたものがある。この給湯装置はヒートポンプ式の給湯装置であり、圧縮機,給湯用熱交換器,電子膨張弁および熱源側熱交換器を含む熱源ユニットと、上記給湯用熱交換器に接続された給湯用ポンプと、給湯用タンクユニットとを備えている。そして、上記給湯用熱交換器に給水された水が上記給湯用熱交換器での熱交換によって加熱され、上記給湯用ポンプによって上記給湯用タンクユニットに蓄積されるようになっている。
【０００３】
上記給湯用ポンプは、給湯装置筺体内下部に設けられた底フレームに載置されて固定されている。その場合、一般的には、上記給湯装置筺体の取付板と上記底フレームとの間に防振ゴムを挟み込み、ビスを上方から上記取付板および上記防振ゴムを介して上記底フレームに螺合させることによって、上記給湯用ポンプを上記底フレームに固定する。
【０００４】
しかしながら、上記特許文献１に開示された従来の給湯装置においては、以下のような問題がある。すなわち、上記給湯用ポンプと上記取付板と上記防振ゴムと上記底フレームを上記ビスで一体に強固に固定しているので、上記給湯用ポンプの振動および振動音の一部が上記底フレームに伝わる。そのため、特に上記底フレームが板金構造の場合には、振動音を無くすことができないと言う問題がある。
【０００５】
さらに、上述した給湯用ポンプを底フレームに固定する方法においては、上記給湯用ポンプを、ビスを上方から上記底フレームに螺着させて固定している。そのために、上記ビスの先端部が上記底フレームから突出しており、運搬時や据付時に上記ビスの先端部に作業員の手が触れて怪我をする恐れがあり、危険であると言う問題がある。
【先行技術文献】
【特許文献】
【０００６】
【特許文献１】特開２００７‐１０２４１号公報
【発明の概要】
【発明が解決しようとする課題】
【０００７】
そこで、この発明の課題は、湯水ポンプの振動に起因するケーシングの振動および振動音を十分に、且つ安全に防止することが可能な温水ユニットを提供することにある。
【課題を解決するための手段】
【０００８】
上記課題を解決するため、この発明の温水ユニットは、
底フレームを有するケーシングと、
上記ケーシングの上記底フレームに、内側に突出して立設された棒状部材と、
上記棒状部材が挿通される挿通孔を有する弾性部材と、
上記弾性部材に取り付けられる取付板と、
上記取付板に取り付けられた湯水ポンプと、
上記湯水ポンプにおける上記棒状部材の軸方向への移動を規制する規制部材と
を備え、
上記棒状部材は、上記弾性部材における上記挿通孔の内周面との間に隙間を有して挿通されており、
上記取付板は、上記棒状部材とは非接触状態で、上記弾性部材に取り付けられていると共に、
上記湯水ポンプの吸入口に接続された給湯管および上記湯水ポンプの吐出口に接続された吐出管によって、上記湯水ポンプを保持することで、上記弾性部材における上記挿通孔の内周面と上記棒状部材との間の隙間が保たれている
ことを特徴としている。
【０００９】
上記構成によれば、上記湯水ポンプに取り付けられた上記取付板は、上記弾性部材に取り付けられている。そして、上記弾性部材の上記挿通孔には、上記底フレームに内側に突出して立設された上記棒状部材が挿通されている。したがって、上記湯水ポンプは、上記取付板および上記弾性部材を介して上記底フレームによって支持されている。その場合、上記弾性部材の上記挿通孔の内周面と上記棒状部材との間に隙間を有しているため、上記弾性部材は上記底フレームに立設された上記棒状部材に対して固定されてはおらず、上記湯水ポンプと上記取付板との重量のみによって上記底フレームに対して固定されている。
【００１０】
したがって、上記弾性部材に伝わって来た上記湯水ポンプの振動は、上記弾性部材と離間している上記棒状部材に直接伝わることが無い。その結果、上記底フレームに伝わる上記湯水ポンプの振動と振動音とを、大幅に減少させることができる。
【００１１】
さらに、上記棒状部材は、上記底フレームの内側に突出して立設されているので、上記棒状部材の先端部は上記底フレームの外側に露出しておらず、上記先端部に作業員の手が触れて怪我をすることを防止できる。
【００１２】
さらに、上記湯水ポンプにおける上記棒状部材の軸方向への移動を上記規制部材で規制するようにしている。したがって、上記湯水ポンプが取り付けられた温水ユニットを横向きに搬送する場合に、上記湯水ポンプが上記棒状部材の軸方向に移動することが上記規制部材で規制され、上記弾性部材が上記棒状部材から抜けることを防止できる。その結果、上記棒状部材から抜けた上記弾性部材を元に戻す作業が不要となり、設置作業の利便性を向上することができる。
【００１３】
また、一実施の形態の温水ユニットでは、
上記弾性部材は、上記取付板を挟持する挟持用溝を備えている。
【００１４】
この実施の形態によれば、上記取付板は、上記弾性部材の上記挟持用溝に挟持されることによって、上記弾性部材に取り付けられている。したがって、上記取付板を、上記弾性部材に対して、簡素な構成で確実に取り付けることができる。
【００１５】
また、一実施の形態の温水ユニットでは、
上記湯水ポンプと上記規制部材とは、上記棒状部材の軸方向に隙間を有しており、
上記棒状部材における上記内側への突出長さは、上記湯水ポンプと上記規制部材との上記隙間よりも長く設定されている。
【００１６】
この実施の形態によれば、上記棒状部材の突出長さは上記湯水ポンプと上記規制部材との隙間よりも長いので、上記湯水ポンプが上記棒状部材の軸方向に移動して上記規制部材に当接しても、上記湯水ポンプと一体になっている上記弾性部材が上記棒状部材から抜けることを防止できる。
【００１７】
したがって、搬送先で横向きの温水ユニットを起こした場合に、上記弾性部材を元の組み立て時の状態に戻ることができる。
【００１８】
また、一実施の形態の温水ユニットでは、
上記棒状部材は、頭部と軸部とを有するネジであり、
上記ネジは、上記軸部における上記頭部側の端部には、上記底フレームに螺合する雄ネジが形成されたネジ部が設けられる一方、上記軸部における上記ネジ部以外の部分には、平滑な側面を有する円柱部が設けられており、上記円柱部のみが上記ケーシングの内側に突出するようになっている。
【００１９】
この実施の形態によれば、上記ネジの上記ネジ部を上記底フレームに螺合することによって、上記ネジ部より先端側の上記円柱部のみを上記ケーシングの内側に突出させることができる。したがって、丸棒をカシメにより上記ケーシングに立設させる場合に比して、簡単に上記ネジの上記円柱部を上記ケーシングに立設させることができる。
【００２０】
さらに、上記ネジの上記円柱部には雄ネジが形成されていないので、上記弾性部材の上記挿通孔の内周面と上記円柱部との間に隙間を有していることと相まって、上記弾性部材の貫通孔に上記ネジの上記円柱部を挿通させる際に、上記円柱部が上記貫通孔の内周面に接触しても、上記内周面の損傷が防止される。
【００２１】
さらに、上記ネジは上記底フレームに下方から上方に向かって立設されているので、上記円柱部の先端部は上記底フレームの外側に露出することがなく、上記先端部に作業員の手が触れて怪我をすることを防止できる。
【発明の効果】
【００２２】
以上より明らかなように、この発明の温水ユニットは、上記弾性部材の上記挿通孔の内周面と上記棒状部材との間に隙間を有しているので、上記弾性部材は上記湯水ポンプと上記取付板との重量のみによって上記底フレームに対して固定されている。
【００２３】
したがって、上記弾性部材に伝わって来た上記湯水ポンプの振動は、上記弾性部材と離間している上記棒状部材に直接伝わることが無い。その結果、上記底フレームに伝わる上記湯水ポンプの振動と振動音とを、大幅に減少させることができる。
【００２４】
さらに、上記棒状部材は、上記底フレームの内側に突出して立設されているので、上記棒状部材の先端部は上記底フレームの外側に露出しておらず、上記先端部に作業員の手が触れて怪我をすることを防止できる。
【００２５】
さらに、上記湯水ポンプが取り付けられた温水ユニットを横向きに搬送する場合に、上記湯水ポンプが上記棒状部材の軸方向に移動することを上記規制部材で規制でき、上記弾性部材が上記棒状部材から抜けることを防止できる。その結果、上記棒状部材から抜けた上記弾性部材を元に戻す作業が不要となり、設置作業の利便性を向上することができる。
【図面の簡単な説明】
【００２６】
【図１】この発明の温水ユニットにおける全体の構成を示す図である。
【図２】図１における湯水ポンプの底フレームへの取付構造を示す図である。
【図３】図２における防振ゴムの正面図および平面図である。
【図４】図２における取付板の平面図である。
【図５】図２における防振ゴム取付箇所の拡大平面図である。
【図６】防振ゴムの取付板への取付状態の変遷を示す図である。
【図７】防振ゴムの貫通孔に固定用ビスを挿通させた状態を示す断面図である。
【図８】湯水ポンプと断熱材との位置関係を示す側方図である。
【発明を実施するための形態】
【００２７】
以下、この発明を図示の実施の形態により詳細に説明する。図１は、本実施の形態の温水ユニットにおける全体の構成を示す図である。
【００２８】
本温水ユニットは、直方体のケーシング１と、このケーシング１の底フレーム１aに取付固定された湯水ポンプ２と、ケーシング１の側面フレーム１b側に設置されたプレート熱交換器３とを含んでおり、室内機を構成している。
【００２９】
上記プレート熱交換器３は、冷媒配管で環状に接続されて室外機を構成している圧縮機,熱源側熱交換器および電動膨張弁(共に図示せず)における上記圧縮機と上記電動膨張弁との間に介設されて、ヒートポンプを構成している。そして、上記圧縮機から供給される高温高圧の冷媒が、冷媒供給ポート４から冷媒供給管４aを介してプレート熱交換器３に供給される。これに対し、プレート熱交換器３内での熱交換した後の低温高圧の冷媒が、冷媒排出管５aを介して冷媒排出ポート５から上記電動膨張弁に供給される。
【００３０】
上記湯水ポンプ２は、吸入口２aが、プレート熱交換器３の給湯口３aと給湯管６で連通されている。また、吐出口２bには吐出管７の一端が接続されており、吐出管７の他端は給湯ポート８に接続されている。さらに、プレート熱交換器３の吸水口３bと吸水ポート９とが吸水管１０で接続されている。
【００３１】
上記構成において、上記ヒートポンプが駆動されると、上述のように、上記圧縮機からの高温高圧の冷媒が、プレート熱交換器３に供給される。そして、プレート熱交換器３内で、吸水ポート９および吸水管１０を介して供給される水と熱交換を行う。そして、熱交換後の低温高圧の液冷媒が上記電動膨張弁に送出される。一方、プレート熱交換器３において熱交換後の温水は、湯水ポンプ２の駆動による負圧によって給湯管６を介して吸入口２aから湯水ポンプ２に吸入され、吐出口２bから吐出管７および給湯ポート８を介して給湯される。
【００３２】
図２は、上記湯水ポンプ２におけるケーシング１の底フレーム１aへの取付構造を示す図である。湯水ポンプ２は回転軸を水平方向に向けて底フレーム１a上に配置される。そして、湯水ポンプ２の側面における底フレーム１a上に配置された際に底フレーム１aと対向する位置には、平面状の取付板１１が取り付けられている。
【００３３】
上記底フレーム１aには、矩形の取付板１１の一側における二隅と他側における中央とに対応する位置の夫々に、固定用ビス１２が下方から上方に向かって螺合すると共に、貫通して立設されている。１３は防振ゴムであり、円筒形状を成すと共に、中心軸に沿って固定用ビス１２の軸部を挿通するための貫通孔１３aが形成されている。さらに、防振ゴム１３の外周面における軸方向中間部には、取付板１１を挟持するための水平な挟持用溝１３bが形成されている。すなわち、固定用ビス１２で上記棒状部材を構成し、防振ゴム１３で上記弾性部材を構成し、貫通孔１３aで上記挿通孔を構成している。
【００３４】
図３は、上記防振ゴム１３の正面図(図３(a))と平面図(図３(b))とを示す。取付板１１が挟持される挟持用溝１３bは、防振ゴム１３の周面に、貫通孔１３aとの間に所定の厚みを残して環状に形成されている。
【００３５】
図４は、上記取付板１１の平面図を示す。取付板１１は、概略矩形の形状を成し、互いに対向する２辺１１d,１１eの一端部と上記２辺１１d,１１eの他端部間に在る１辺１１fの中央部との３箇所の縁に、防振ゴム１３挿通用のＵ型溝１１aが形成されている。図５は、取付板１１における防振ゴム１３の取付箇所の平面図を示す。Ｕ型溝１１aは、直線状を成す取付板１１の縁に対して直角方向に延在しており、その幅は、防振ゴム１３の挟持用溝１３bの内径ｄと同じである。そして、Ｕ型溝１１aの最奧には、直径がｄよりやや大きい円形状に切り欠かれた円形領域１１bが形成されている。また、Ｕ型溝１１aの入口には、防振ゴム１３の挿入を容易にするための傾斜領域１１cが形成されている。
【００３６】
図６は、上記防振ゴム１３の取付板１１への取付状態の変遷を示す図である。先ず、図６(a)に示すように、防振ゴム１３の挟持用溝１３bを、取付板１１におけるＵ型溝１１aの両側の傾斜領域１１cに矢印方向に嵌め込む。さらに、図６(b)に示すように、取付板１１に対して防振ゴム１３を押し込む。こうして、図６(c)に示すように、防振ゴム１３を取付板１１のＵ型溝１１aにおける奥部まで挿入すると、防振ゴム１３の貫通孔１３aが取付板１１の円形領域１１bの略中央部に位置することになる。
【００３７】
このようにして、上記湯水ポンプ２の取付板１１に取り付けられた防振ゴム１３の貫通孔１３aに、底フレーム１aに螺合して立設されている固定用ビス１２を、下方から上方に向かって挿通させる。こうして、湯水ポンプ２を、取付板１１および防振ゴム１３を介して、底フレーム１aによって下側から受けるのである。
【００３８】
図７は、上記防振ゴム１３の貫通孔１３aに固定用ビス１２を挿通させた状態を示す断面図を示す。
【００３９】
図７において、上記固定用ビス１２は、頭部１２aと棒状の軸部１２bから構成されている。さらに、軸部１２bは、ネジ部１２cと円柱部１２dとから構成されている。ネジ部１２cは、軸部１２bにおける頭部１２a側に位置しており、軸方向の長さは底フレーム１aの厚さｔと略等しく、外周面には雄ネジ１４が形成されている。一方、底フレーム１aにおける防振ゴム１３の取付位置には、固定用ビス１２取付用の孔が穿たれ、その孔にネジ部１２cの雄ネジ１４に螺合する雌ネジ１５が形成されている。そして、固定用ビス１２の雄ネジ１４を底フレーム１aの雌ネジ１５と螺合させることによって、底フレーム１aに対して固定用ビス１２を立設させて、円柱部１２dを突出させることができる。
【００４０】
上記円柱部１２dは、その外周面に雄ネジは形成されておらず、単に円柱状を成している。そして、円柱部１２dの直径ｄ2は、防振ゴム１３の貫通孔１３aの直径ｄ1よりも小さく設定されている。具体的には、例えば、固定用ビス１２の円柱部１２dの直径ｄ2が４ｍｍφであるのに対して、防振ゴム１３の貫通孔１３aの直径ｄ1は６.５ｍｍφである。こうすることによって、円柱部１２dには雄ネジが形成されていないことと相まって、防振ゴム１３の貫通孔１３aに固定用ビス１２を挿通させる際に、貫通孔１３aの内周面が円柱部１２dに接触しても、雄ネジ等による上記内周面の損傷が防止される。
【００４１】
以上のごとく、本実施の形態においては、湯水ポンプ２の取付板１１に取り付けられた防振ゴム１３は、底フレーム１aに立設している固定用ビス１２に対して実際に固定されてはおらず、湯水ポンプ２と取付板１１との重量のみによって底フレーム１aに対して固定されている。したがって、防振ゴム１３に伝わって来た湯水ポンプ２の振動は、防振ゴム１３とは離間している固定用ビス１２に直接伝わることが無い。その結果、底フレーム１aに伝わる湯水ポンプ２の振動と振動音を、大幅に減少させることができる。さらに、固定用ビス１２は底フレーム１aに下方から上方に向かって立設されているので、固定用ビス１２の先端部は底フレーム１aの外側に露出することがなく、上記先端部に作業員の手が触れて怪我をすることを防止できるのである。
【００４２】
ところで、上述のように上記湯水ポンプ２が取り付けられた温水ユニットを搬送する場合、縦長であるが故に横向きにされる場合が多々ある。その場合には、防振ゴム１３は、固定用ビス１２に挿通されているだけで積極的に固定されてはいないため、温水ユニットが斜めになった場合に固定用ビス１２が案内となって湯水ポンプ２が固定用ビス１２の軸方向に移動しようとする。その場合、その移動を防止できるのは給湯管６および吐出管７のみであるために、上記移動を完全に防止できず、防振ゴム１３が固定用ビス１２から抜けてしまう場合がある。そして、搬送先で横向きの温水ユニットを起こした際に、固定用ビス１２から抜けた防振ゴム１３が元の固定用ビス１２の位置に戻らず、固定用ビス１２から抜けたままの状態になることがある。その場合には、底フレーム１aに伝わる湯水ポンプ２の振動と振動音とが大きくなり、固定用ビス１２から抜けた防振ゴム１３を元に戻す作業が必要となってしまう。
【００４３】
そこで、本実施の形態においては、以下のような構成によって、搬送時における防振ゴム１３の抜けを防止するようにしている。
【００４４】
すなわち、図１において、上記湯水ポンプ２の吐出口２bから吐出される湯が供給される給湯タンク１６の周囲には、保温と位置決めとのために発泡スチロールの断熱材１７が配置されている。図８は、湯水ポンプ２と断熱材１７との位置関係を示す湯水ポンプ２を側方から見た図である。断熱材１７における湯水ポンプ２の端面２cと上面２dとに対向する位置には、湯水ポンプ２が固定用ビス１２の軸後方に移動した場合に、湯水ポンプ２の端面２cと上面２dとを受けて移動を規制するＬ字型の規制部１８が形成されている。さらに、規制部１８には、固定用ビス１２の軸後方に移動した湯水ポンプ２の上面２dを受ける上記規制部材の一例としての上部受面１８aを設けている。そして、湯水ポンプ２の上面２dと断熱材１７の上部受面１８aとの間隔Ｌ2を、固定用ビス１２の円柱部１２d(図７参照)の長さＬ1よりも小さく設定している。
【００４５】
こうすることによって、上記湯水ポンプ２が取り付けられた温水ユニットを横向きに搬送する場合に、湯水ポンプ２が固定用ビス１２の軸方向に移動する移動量は最大でもＬ2である。したがって、湯水ポンプ２がＬ2だけ移動して断熱材１６の上部受面１８aに当接した場合に、固定用ビス１２の円柱部１２dの長さＬ1が湯水ポンプ２の最大移動量Ｌ2よりも大きく設定されているため、防振ゴム１３が固定用ビス１２から抜けることが防止される。
【００４６】
したがって、搬送先で横向きの温水ユニットを起こした場合に、湯水ポンプ２の防振ゴム１３は固定用ビス１２から抜けることなく元の組み立て時の状態に戻ることができる。その結果、固定用ビス１２から抜けた防振ゴム１３を元に戻す作業が不要となり、設置作業の利便性を向上することができるのである。
【００４７】
尚、本実施の形態においては、本温水ユニット内に上記プレート熱交換器３を搭載している。しかしながら、この発明では必ずしもその必要はなく、プレート熱交換器３を本温水ユニット外の上記室外機側に設置しても差し支えない。
【００４８】
また、本実施の形態においては、上記防振ゴム１３の外周に形成された挟持用溝１３bで取付板１１を挟持するようにしている。しかしながら、この発明はこれに限定されるものではなく、例えば防振ゴム１３の上端面に取付板１１を載置して固定するようにしても差し支えない。要は、取付板１１は、固定用ビス１２とは非接触状態で防振ゴム１３に取り付けられていればよいのである。
【００４９】
また、本実施の形態においては、上記防振ゴム１３の挟持用溝１３bを、防振ゴム１３の周面に環状に形成している。しかしながら、この発明はこの形状に限定されるものではなく、取付板１１の縁に形成されたＵ型溝１１aの直線の部分が挿通可能な形状であればよい。例えば、貫通孔１３aを挟んで互いに対向する２箇所に平行して形成しても良い。または、貫通孔１３aの周囲３方向を囲むように形成しても良い。
【００５０】
また、本実施の形態においては、上記温水ユニットを横向きに搬送する場合に湯水ポンプ２が固定用ビス１２の軸方向に移動するのを規制する規制部材として、給湯タンク１６の断熱材１７に設けられた規制部１８の上部受面１８aで形成している。しかしながら、断熱材１７に限定されるものではなく、他の部材に形成しても一向に差し支えない。
【００５１】
また、本実施の形態においては、上記棒状部材として固定用ビス１２を用いている。しかしながら、この発明はこれに限定されるものではなく、円形断面の棒状体をカシメ(圧入)によって底フレーム１aに立設させたものを用いても良い。但し、固定用ビス１２の場合には、ネジ部１２cを底フレーム１aに螺合させるだけでよく、カシメによる場合に比して、簡単に固定用ビス１２の円柱部１２dを底フレーム１aに立設させることができる。
【００５２】
また、本実施の形態においては、上記弾性部材として防振ゴム１３を用いているが、ゴム以外の弾性体や粘性流体注入部材であっても差し支えない。
【符号の説明】
【００５３】
１…ケーシング、
１a…底フレーム、
２…湯水ポンプ、
３…プレート熱交換器、
１１…取付板、
１１a…Ｕ型溝、
１１b…円形領域、
１２…固定用ビス、
１２a…頭部、
１２b…軸部、
１２c…ネジ部、
１２d…円柱部、
１３…防振ゴム、
１３a…貫通孔、
１３b…挟持用溝、
１４…雄ネジ、
１５…雌ネジ、
１６…給湯タンク、
１７…断熱材、
１８…規制部、
１８a…上部受面。
【図１】
0005929891.tif 000002
【図２】
0005929891.tif 000003
【図３】
0005929891.tif 000004
【図４】
0005929891.tif 000005
【図５】
0005929891.tif 000006
【図６】
0005929891.tif 000007
【図７】
0005929891.tif 000008
【図８】
0005929891.tif 000009